(57)【要約】【課題】モータドライバＩＣとレーザドライバＩＣとの温度を観測して、所定温度以上にならない制御を行うことで、各ドライバＩＣにおける熱による誤動作が生じることを防止する光ディスク装置を提供する。【解決手段】制御部３０は、光ディスク１００の再生時にはモータドライバＩＣ１１に備えられた温度センサ２１からの温度検知信号を入力して、この温度検知信号に基づく温度が第１の閾値に達すると、モータドライバＩＣ１１に対して低速制御を行う。また、制御部３０は、光ディスク１００の記録時にはレーザドライバＩＣ１３に備えられた温度センサ２３からの温度検知信号を入力して、この温度検知信号に基づく温度が第３の閾値に達すると、レーザドライバＩＣ１３に対してレーザ光の出力停止制御を行うか、レーザ光の出力低減制御を行う。【選択図】  図１
2004334965.tif 000002
【特許請求の範囲】
【請求項１】
光ディスクのデータの再生、記録を行う光ディスク装置において、
スピンドルモータの回転を制御するモータドライバＩＣの温度を検知して、検知温度に応じた検知信号を出力する第１の温度センサと、
光ピックアップのレーザ光出力を制御するレーザドライバＩＣの温度を検知して、検知温度に応じた検知信号を出力する第２の温度センサと、
前記第１の温度センサからの検出信号と前記第２の温度センサからの検出信号とを入力して、データ再生時には前記第１の温度センサからの検出信号を選択し、データ記録時には前記第２の温度センサからの検出信号を選択して、制御手段に出力する選択手段と、
データ再生時には、前記第１の温度センサからの前記検知信号に基づいた検知温度が第１の閾値以上となった場合に前記モータドライバＩＣに前記スピンドルモータの回転速度を低下させてデータ再生を継続させる低速再生制御を行い、データ記録時には、前記第２の温度センサからの前記検知信号に基づいた検知温度が第２の閾値以上となった場合に前記モータドライバＩＣに前記スピンドルモータの回転速度を低下させるとともに前記レーザドライバＩＣに前記レーザ光出力を低減させてデータ記録を継続させる低速記録制御を行い、
さらに、前記低速再生制御状態であって、前記第１の温度センサからの検知信号に基づいた検知温度が前記第１の閾値よりも低温の第３の閾値以下となった場合に、前記モータドライバＩＣに前記スピンドルモータの回転速度を高くさせる高速再生制御を行い、前記低速記録制御状態であって、前記第２の温度センサからの検知信号に基づいた検知温度が前記第２の閾値よりも低温の第４の閾値以下となった場合に、前記レーザドライバＩＣに前記レーザ光出力を高くさせるとともに、前記モータドライバＩＣに前記スピンドルモータの回転速度を高くさせてデータ記録を継続させる高速記録制御をおこなう制御手段と、を備えたことを特徴とする光ディスク装置。
【請求項２】
光ディスクのデータの再生、記録を行う光ディスク装置において、
スピンドルモータの回転を制御するモータドライバＩＣの温度を検知して、検知温度に応じた検知信号を出力する第１の温度センサと、
光ピックアップのレーザ光出力を制御するレーザドライバＩＣの温度を検知して、検知温度に応じた検知信号を出力する第２の温度センサと、
前記第１の温度センサからの検出信号と前記第２の温度センサからの検出信号とを入力して、データ再生時には前記第１の温度センサからの検出信号を選択し、データ記録時には前記第２の温度センサからの検出信号を選択して、制御手段に出力する選択手段と、
データ再生時には、前記第１の温度センサからの前記検知信号に基づいた検知温度が第１の閾値以上となった場合に前記モータドライバＩＣに前記スピンドルモータの回転速度を低下させてデータ再生を継続させる低速再生制御を行い、データ記録時には、前記第２の温度センサからの前記検知信号に基づいた検知温度が第２の閾値以上となった場合に前記レーザドライバＩＣに前記レーザ光出力を停止させてデータ記録を中断させる記録中断制御を行い、
さらに、前記低速再生制御状態であって、前記第１の温度センサからの検知信号に基づいた検知温度が前記第１の閾値よりも低温の第３の閾値以下となった場合に、前記モータドライバＩＣに前記スピンドルモータの回転速度を高くさせる高速再生制御を行い、前記低速記録制御状態であって、前記第２の温度センサからの検知信号に基づいた検知温度が前記第２の閾値よりも低温の第４の閾値以下となった場合に、前記レーザドライバＩＣに前記レーザ光出力を再開させることでデータ記録を再開させる制御手段と、を備えたことを特徴とする光ディスク装置。
【請求項３】
光ディスクのデータの再生、記録を行う光ディスク装置において、
スピンドルモータの回転を制御するモータドライバＩＣの温度を検知して、検知温度に応じた検知信号を出力する第１の温度センサと、
光ピックアップのレーザ光出力を制御するレーザドライバＩＣの温度を検知して、検知温度に応じた検知信号を出力する第２の温度センサと、
データ再生時には、前記第１の温度センサからの前記検知信号に基づいた検知温度が第１の閾値以上となった場合に前記モータドライバＩＣに前記スピンドルモータの回転速度を低下させてデータ再生を継続させる低速再生制御を行い、データ記録時には、前記第２の温度センサからの前記検知信号に基づいた検知温度が第２の閾値以上となった場合に前記モータドライバＩＣに前記スピンドルモータの回転速度を低下させるとともに前記レーザドライバＩＣに前記レーザ光出力を低減させてデータ記録を継続させる低速記録制御を行う制御手段と、を備えたことを特徴とする光ディスク装置。
【請求項４】
前記制御手段は、前記低速記録制御状態であって、前記第２の温度センサからの検知信号に基づいた検知温度が前記第２の閾値よりも低温の第４の閾値以下となった場合に、前記レーザドライバＩＣに前記レーザ光出力を高くさせるとともに、前記モータドライバＩＣに前記スピンドルモータの回転速度を高くさせてデータ記録を継続させる請求項３に記載の光ディスク装置。
【請求項５】
光ディスクのデータの再生、記録を行う光ディスク装置において、
スピンドルモータの回転を制御するモータドライバＩＣの温度を検知して、検知温度に応じた検知信号を出力する第１の温度センサと、
光ピックアップのレーザ光出力を制御するレーザドライバＩＣの温度を検知して、検知温度に応じた検知信号を出力する第２の温度センサと、
データ再生時には、前記第１の温度センサからの前記検知信号に基づいた検知温度が第１の閾値以上となった場合に前記モータドライバＩＣに前記スピンドルモータの回転速度を低下させてデータ再生を継続させる低速再生制御を行い、データ記録時には、前記第２の温度センサからの前記検知信号に基づいた検知温度が第２の閾値以上となった場合に前記レーザドライバＩＣに前記レーザ光出力を停止させてデータ記録を中断させる記録中断制御を行う制御手段と、を備えたことを特徴とする光ディスク装置。
【請求項６】
前記制御手段は、前記記録中断制御状態であって、前記第２の温度センサからの検知信号に基づいた検知温度が前記第２の閾値よりも低温の第４の閾値以下となった場合に、前記レーザドライバＩＣに前記レーザ光出力を再開させることでデータ記録を再開させる請求項５に記載の光ディスク装置。
【請求項７】
前記制御手段は、前記低速再生制御状態であって、前記第１の温度センサからの検知信号に基づいた検知温度が前記第１の閾値よりも低温の第３の閾値以下となった場合に、前記モータドライバＩＣに前記スピンドルモータの回転速度を高くさせる高速再生制御を行う請求項３〜６のいずれかに記載の光ディスク装置。
【請求項８】
前記第１の温度センサからの検出信号と前記第２の温度センサからの検出信号とを入力して、データ再生時には前記第１の温度センサからの検出信号を選択し、データ記録時には前記第２の温度センサからの検出信号を選択して、前記制御手段に出力する選択手段を備えた請求項３〜７のいずれかに記載の光ディスク装置。
【発明の詳細な説明】
【０００１】
【発明の属する技術分野】
この発明は、ＤＶＤ等の光ディスクのデータの記録再生を行う光ディスク装置に関するものである。
【０００２】
【従来の技術】
パソコン等の情報処理装置には、光ディスクに記録されたデータの再生のみを行う光ディスク再生装置や、光ディスクに記録されたデータの再生を行う機能と、光ディスクへのデータの記録を行う機能とを備える光ディスク記録再生装置が搭載されている（以下、光ディスク再生装置と光ディスク再生記録装置とを、単に「光ディスク装置」という。）。
【０００３】
このような光ディスク装置の再生時には、スピンドルモータで光ディスクを回転させながら、該光ディスク表面にレーザ光を照射し、その反射光を受光することにより、光ディスクに記録されているデータを読み出す。また、記録時には、スピンドルモータで光ディスクを回転させながら、該光ディスク表面に再生時よりも高出力のレーザ光を照射することで、データを書き込む。
【０００４】
光ディスク装置は、これが搭載されるパソコン等の情報処理能力の向上に伴い、高速読み取りおよび高速書き込み化が進んでいる。これにより、スピンドルモータの回転速度が高速化し、レーザ光出力も高出力化している。
【０００５】
このように、スピンドルモータが高速化することにより、該スピンドルモータを制御するモータドライバＩＣの負荷も増加して発熱量が大きくなる。
また、レーザ光が高出力化することにより、該レーザ光を制御するレーザドライバＩＣの負荷も増加して発熱量が大きくなる。
これらのドライバＩＣにはそれぞれに熱に対する許容量（動作保証温度）があり、許容量を超えることによりドライバＩＣが異常動作（誤動作）する可能性があるので、各ドライバＩＣに温度センサを内蔵して、各ドライバＩＣの温度センサからの出力を観測する光ディスク装置が提案されている（例えば、特許文献１参照。）。
【０００６】
【特許文献１】
特開２００１−１４７８１号公報
【０００７】
【発明が解決しようとする課題】
ところが、従来の光ディスク装置では、ドライバＩＣに内蔵された温度センサにより検知された検知信号に基づいて、スピンドルモータの動作制御を行っていない。例えば、スピンドルモータ用ドライバＩＣが高温になっても特に降温させる制御を行っていないため、熱による誤動作が生じる可能性が大きくなる。
【０００８】
また、従来の光ディスク装置は、光ピックアップ部のレーザ光出力を制御するレーザドライバＩＣについては温度の検知を行っていない。しかし、光ディスクにデータを記録する光ディスク記録再生装置においては、データの記録時に、レーザ光出力を再生時よりも高くするため、レーザドライバＩＣの負荷が増加して、発熱量も増加する。さらに、最近では、上述のように、光ディスクへの記録処理も高速化されており、記録時の光ディスクの回転数も高速になっているため、これに応じてレーザ光も高出力化している。これにより、レーザドライバＩＣにはさらに高負荷がかかり、発熱量も増加する。
【０００９】
このように、発熱量が増加するとレーザドライバＩＣ自身の温度も高くなり、所定の閾値（動作保証温度）を超えると、誤動作を生じる可能性がある。
【００１０】
この発明の目的は、モータドライバＩＣとレーザドライバＩＣとの温度を観測して、所定温度以上にならない制御を行うことで、各ドライバＩＣにおける熱による誤動作が生じることを防止する光ディスク装置を提供することにある。
【００１１】
【課題を解決するための手段】
この発明の光ディスク装置は、スピンドルモータの回転を制御するモータドライバＩＣの温度を検知して、検知温度に応じた検知信号を出力する第１の温度センサと、光ピックアップのレーザ光出力を制御するレーザドライバＩＣの温度を検知して、検知温度に応じた検知信号を出力する第２の温度センサと、データ再生時には、第１の温度センサからの検知信号に基づいた検知温度が第１の閾値以上となった場合にモータドライバＩＣにスピンドルモータの回転速度を低下させてデータ再生を継続させる低速再生制御を行い、データ記録時には、第２の温度センサからの検知信号に基づいた検知温度が第２の閾値以上となった場合にモータドライバＩＣにスピンドルモータの回転速度を低下させるとともにレーザドライバＩＣにレーザ光出力を低減させてデータ記録を継続させる低速記録制御を行う制御手段と、を備えたことを特徴としている。
【００１２】
この構成では、光ディスク装置は、光ディスクに記録されているデータを再生する際に、モータドライバＩＣの表面に配置された温度センサからの温度検知信号により、常時、モータドライバＩＣの温度を観測する。そして、温度検知信号に基づいて、モータドライバＩＣの動作保証温度に応じて予め設定された所定の閾値（第１の閾値）に検知温度が達すると、光ディスクの再生を行いながらスピンドルモータの回転速度を低下させ、モータドライバＩＣの温度を低下させる。一方、光ディスクにデータを記録する際に、レーザドライバＩＣの表面に設置された温度センサからの温度検知信号により、常時、レーザドライバＩＣの温度を観測する。そして、温度検知信号に基づいて、レーザドライバＩＣの動作保証温度に応じて予め設定された所定の閾値（第２の閾値）に検知温度が達すると、レーザ光出力を低下させることにより、光ディスクへの記録を行いながらレーザドライバＩＣの温度を低下させる。
【００１３】
また、この発明の光ディスク装置は、データ記録時のレーザ光出力低減状態で、第２の温度センサからの検知信号に基づいた検出温度が第４の閾値以下になった場合にレーザ光出力を高くするとともにスピンドルモータの回転速度を高くすることを特徴としている。
【００１４】
この構成では、光ディスク装置は、データ記録時に上述の方法でレーザ光出力を低下させた後も、常時、レーザドライバＩＣの温度を検知信号により観測し続ける。そして、この検知信号に基づいて、レーザドライバＩＣの安定動作温度に応じて設定された所定の閾値（第４の閾値）以下に検出温度が達すると、スピンドルモータの回転速度を高くするとともにレーザ光の出力を高くして、低速記録から高速記録に切り換える。
【００１５】
また、この発明の光ディスク装置は、スピンドルモータの回転を制御するモータドライバＩＣの温度を検知して、検知温度に応じた検知信号を出力する第１の温度センサと、光ピックアップのレーザ光出力を制御するレーザドライバＩＣの温度を検知して、検知温度に応じた検知信号を出力する第２の温度センサと、データ再生時には、第１の温度センサからの検知信号に基づいた検知温度が第１の閾値以上となった場合に前記モータドライバＩＣにスピンドルモータの回転速度を低下させてデータ再生を継続させる低速再生制御を行い、データ記録時には、第２の温度センサからの検知信号に基づいた検知温度が第２の閾値以上となった場合にレーザドライバＩＣにレーザ光出力を停止させてデータ記録を中断させる記録中断制御を行う制御手段と、を備えたことを特徴としている。
【００１６】
この構成では、光ディスク装置は、光ディスクに記録されているデータを再生する際に、モータドライバＩＣの表面に配置された温度センサからの温度検知信号により、常時、モータドライバＩＣの温度を観測する。そして、温度検知信号に基づいて、モータドライバＩＣの動作保証温度に応じて予め設定された所定の閾値（第１の閾値）に検知温度が達すると、光ディスクの再生を行いながらスピンドルモータの回転速度を低下させ、モータドライバＩＣの温度を低下させる。一方、光ディスクにデータを記録する際に、レーザドライバＩＣの表面に設置された温度センサからの温度検知信号により、常時、レーザドライバＩＣの温度を観測する。そして、温度検知信号に基づいて、レーザドライバＩＣの動作保証温度に応じて予め設定された所定の閾値（第２の閾値）に検知温度が達すると、レーザ光出力を停止させることにより、レーザドライバＩＣの温度を低下させる。
【００１７】
また、この発明の光ディスク装置は、データ記録時のレーザ光出力停止状態で、第２の温度センサからの検知信号に基づいて、検知温度が第４の閾値以下となった場合にレーザ光出力を再開させることを特徴としている。
【００１８】
この構成では、光ディスク装置は、データ記録時に上述の方法でレーザ光の出力を停止した後も、常時、レーザドライバＩＣの温度を検知信号により観測し続ける。そして、この検知信号に基づいて、レーザドライバＩＣの安定動作温度に応じて設定された所定の閾値（第４の閾値）以下に検出温度が達すると、レーダ光の出力を再開するして、高速記録を行う。
【００１９】
また、この発明の光ディスク装置は、低速再生制御状態であって、第１の温度センサからの検知信号に基づいた検知温度が第１の閾値よりも低温の第３の閾値以下となった場合に、モータドライバＩＣにスピンドルモータの回転速度を高くさせることを特徴としている。
【００２０】
この構成では、光ディスク装置は、上述の方法で回転速度を低下させて再生を継続させた後も、常時、モータードライバＩＣの温度を検知信号により観測し続ける。そして、この検知信号に基づいて、モータドライバＩＣが安定動作する温度に応じて設定された所定の閾値（第３の閾値）以下に検知温度が達すると、スピンドルモータの回転速度を高くし、低速再生から高速再生へ切り換える。
【００２１】
また、この発明の光ディスク装置は、第１の温度センサからの検出信号と第２の温度センサからの検出信号とを入力して、データ再生時には第１の温度センサからの検出信号を選択し、データ記録時には第２の温度センサからの検出信号を選択して、制御手段に出力する選択手段を備えたことを特徴としている。
【００２２】
この構成では、選択手段で、データ再生時にはモータドライバＩＣの温度を検知する第１の温度センサからの検出信号を選択し、データ記録時にはレーザドライバＩＣの温度を検知する第２の温度センサからの検出信号を選択して制御手段に出力することで、制御手段は温度検出信号を入力する端子を二つ設けなくても、上述のように一端子で再生時、記録時ともに温度監視を行う。
【００２３】
【発明の実施の形態】
本発明の実施形態に係る光ディスク装置について、図を参照して説明する。
図１は、本実施形態に係る光ディスク装置の主要部を示す概略構成図である。
【００２４】
図１に示すように、本発明に係る光ディスク装置は、光ディスク１００を保持して回転させるスピンドルモータ１と、光ディスク１００の記録面にレーザ光を照射し、その反射光を受光することで、光ディスク１００に記録されているデータを読み出す光ピックアップ３と、該光ピックアップ３を光ディスク１００の径方向に移動させるステッピングモータ２と、スピンドルモータ１およびステッピングモータ２の動作を制御するモータドライバＩＣ１１と、光ピックアップ３に備えられたレーザ光出力部の出力を制御するレーザドライバＩＣ１３と、これらを含む装置全体を制御する制御部３０とから構成される。
【００２５】
モータドライバＩＣ１１およびレーザドライバＩＣ１３は樹脂等でドライバ回路がパッケージングされたモールド素子で形成されている。このモータドライバＩＣ１１の表面に温度センサ２１を配置し、レーザドライバＩＣ１３の表面に温度センサ２３を配置している。これら温度センサ２１、２３は、モータドライバＩＣ１１およびレーザドライバＩＣ１３の表面温度を検知し、この検知温度に応じた温度検出信号を出力する。
【００２６】
このような温度センサ２１，２３としては、サーミスタや熱電対等のように、検知した温度により出力電圧や出力電流が異なる素子を用いる。例えば、サーミスタを用いる場合、このサーミスタをドライバＩＣの表面に接触させる。サーミスタは、検知した温度に応じて抵抗値が変化するので、検知温度に応じた大きさの電流を温度検知信号として出力する。なお、温度センサ２１，２３としては、サーミスタや熱電対の他に、検知した温度により、出力信号の大きさが変化する素子を利用したものを用いてもよい。
【００２７】
これら温度センサ２１，２３はスイッチ（ＳＷ）２４に接続しており、このスイッチ（ＳＷ）２４は制御部３０に接続している。
【００２８】
スイッチ（ＳＷ）２４は、制御部３０からの切換信号により、光ディスク再生時には制御部３０と温度センサ２１とを接続するように切り換え、光ディスク記録時には制御部３０と温度センサ２３とを接続するように切り換える。
【００２９】
制御部３０は、モータドライバＩＣ１１およびレーザドライバＩＣ１３に対して、光ディスク再生動作および光ディスク記録動作等を制御するとともに、装置全体の動作を制御する。また、制御部３０は、温度センサ２１または温度センサ２３からの温度検知信号を観測し、この温度検知信号に応じてモータドライバＩＣ１１およびレーザドライバＩＣ１３を制御する。
【００３０】
ここで、光ディスク装置は、上述のように、一般的に、再生時には記録時よりも回転数を高速化し、低いレーザ光出力で光ディスクの記録面に記録されたデータを読み出し、記録時には再生時よりも回転数を低速化し、高いレーザ光出力で光ディスクの記録面にデータを記録する。すなわち、再生時にはモータを制御するモータドライバＩＣ１１の負荷が増加するが、レーザ光を制御するレーザドライバＩＣ１３の負荷は軽減する。一方、記録時にはレーザ光を制御するレーザドライバＩＣ１３の負荷が増加するが、モータを制御するモータドライバＩＣ１１の負荷は軽減する。
【００３１】
このため、上述のように制御部３０は、再生時にモータドライバＩＣ１１に設置された温度センサ２１の温度検知信号を観測し、記録時にレーザドライバＩＣ１３に設けられた温度センサ２３の温度検知信号を観測する。
【００３２】
次に、温度検知信号を入力した場合の装置の制御について図２を参照して説明する。なお、以下の説明では、抵抗値の温度特性が負特性、すなわち、検知温度が増加するに応じて抵抗値が低下するサーミスタを用いた例を示す。
【００３３】
図２は、本装置のおけるドライバＩＣの温度を検知して各部の制御を行うフローを示したフローチャートである。
ユーザが、図示していないリモコン等の操作部により再生操作入力を行うと（ｓ１）、スイッチ２４は制御部３０と、モータドライバＩＣ１１に設置された温度センサ２１とを接続する。温度センサ２１は、モータドライバＩＣ１１の温度に応じた温度検知信号をスイッチ２４を介して制御部３０に出力する。この温度検知信号の電流値は、サーミスタの抵抗温度特性が負特性であるので、検知温度が高温になると大きくなり、検知温度が低温になると小さくなる。
【００３４】
制御部３０は、高速再生制御を行うとともに、温度検知信号を入力して、この信号に応じた温度を常時観測する（ｓ２→ｓ３→ｓ４）。ここで、制御部３０は、低速再生制御を行うための高温側の第１の閾値と、高速再生制御を行うための低温側の第３の閾値とを記憶している。なお、これら閾値は次のように設定されており、例えば、第１の閾値はモータドライバＩＣ１１の動作保証温度に対応し、第３の閾値はモータドライバＩＣ１１の動作保証温度よりも所定温度低い特定の動作安定温度に対応する。
【００３５】
次に、観測された温度が第１の閾値以上となると、制御部３０はモータドライバＩＣ１１に低速再生制御を行う。すなわち、制御部３０は、光ディスク１００のセクタを検知して、再生中のセクタが終了すれば、モータドライバＩＣ１１にスピンドルモータ１の回転数を低下させる（ｓ５→ｓ６→ｓ７）。そして、この回転数が安定したどうかを監視し、安定すれば、その回転数（低速回転）で再生を継続する（ｓ８→ｓ９）。このようにスピンドルモータ１を低速回転させることにより、モータドライバＩＣ１１の負荷が低減して、発熱量を抑制することができる。これにより、モータドライバＩＣ１１が所定値以上の温度になることが抑制され、誤動作の発生を防止することができる。
【００３６】
上述のように低速再生制御を行った後も、ユーザから再生停止操作入力が行われるまで、制御部３０は温度の観測を継続する（ｓ１０→ｓ３→ｓ４）。
【００３７】
そして、観測温度が第１の閾値よりも低く、第３の閾値よりも高ければ、スピンドルモータは低速で回転し続け、モータドライバＩＣ１１の温度を低下させる（ｓ５→ｓ１１→ｓ３）。
【００３８】
次に、観測温度が第３の閾値以下になると、制御部３０はモータドライバＩＣ１１に高速再生制御を行う。すなわち、制御部３０は、光ディスク１００のセクタを検知して、再生中のセクタが終了すれば、モータドライバＩＣ１１にスピンドルモータ１の回転数を高くさせる（ｓ１１→ｓ１２→ｓ１３）。そして、この回転数が安定したどうかを監視し、安定すれば、その回転数（高速回転）で再生を継続する（ｓ１４→ｓ１５）。これにより、モータドライバＩＣ１１がスピンドルモータの回転速度を低速再生制御する前と同じ回転数まで高くすることで、回転数の低下を必要最小限に抑えることができる。
【００３９】
上述のモータドライバＩＣ１１の温度を検知してスピンドルモータ１の回転速度を制御する動作は、再生停止操作入力が行われるまでは、光ディスク再生中、常時行われる（ｓ１０→ｓ３→ｓ４）。これにより、誤動作の生じない範囲で高速に光ディスクの再生を行うことができる。
【００４０】
次に、ユーザがリモコン等を用いて光ディスク記録操作入力を行うと（ｓ１→ｓ２１）、スイッチ２４は、制御部３０と、レーザドライバＩＣ１３に設置された温度センサ２３とを接続する。温度センサ２３は、レーザドライバＩＣ１３の温度に応じた温度検知信号をスイッチ２４を介して制御部３０に出力する。
【００４１】
制御部３０は、高速記録制御を行うとともに、温度検知信号を入力して、この信号に応じた温度を常時観測する（ｓ２２→ｓ２３→ｓ２４）。制御部３０には、低速記録制御を行うための高温側の第２の閾値と、高速記録制御を行うための低温側の第４の閾値とを記憶している。これらの閾値は次のように設定されており、例えば第２の閾値はレーザドライバＩＣ１３の動作保証温度に対応し、第４の閾値はレーザドライバＩＣ１３の動作保証温度よりも所定温度低い特定の動作安定温度に対応する。
【００４２】
次に、観測された温度が第２の閾値以上となると、制御部３０はレーザドライバＩＣ１３とモータドライバＩＣ１１とに低速記録制御を行う。すなわち、制御部３０は、光ディスク１００のセクタを検知して、記録中のセクタが終了すれば、モータドライバＩＣ１１にスピンドルモータ１の回転数を低下させるとともに、レーザドライバＩＣ１３にレーザ光出力を低下させる（ｓ２５→ｓ２６→ｓ２７）。そして、この回転数、およびレーザ光出力が安定したどうかを監視し、安定すれば、その回転数（低速回転）およびその出力（低出力）で記録を継続する（ｓ２８→ｓ２９）。このように、レーザ光出力を低下させることにより、レーザドライバＩＣ１３の負荷が低減して、発熱量を抑制することができる。これにより、レーザドライバＩＣ１３が所定値以上の温度になることが抑制され、誤動作の発生を防止することができる。
【００４３】
上述のように低速記録制御を行った後も、ユーザから記録停止操作入力が行われるまで、制御部３０は温度の観測を継続する（ｓ３０→ｓ２３→ｓ２４）。
【００４４】
そして、観測温度が第２の閾値よりも低く、第４の閾値よりも高ければ、レーザ光出力は低いままに制御され、レーザドライバＩＣ１３の温度を低下させる（ｓ２５→ｓ３１→ｓ２３）。
【００４５】
次に、観測温度が低温側の第４の閾値以下になると、制御部３０はレーザドライバＩＣ１３とモータドライバＩＣ１１とに高速記録制御を行う。すなわち、制御部３０は、光ディスク１００のセクタを検知して、記録中のセクタが終了すれば、モータドライバＩＣ１１にスピンドルモータ１の回転数を高くさせるとともに、レーザドライバＩＣ１３の出力を高くする（ｓ３１→ｓ３２→ｓ３３）。そして、この回転数および出力が安定したどうかを監視し、安定すれば、その回転数（高速回転）で、その出力（高出力）で記録を継続する（ｓ３４→ｓ３５）。このように、レーザドライバＩＣ１３はレーザ光出力を低速記録制御する前の状態にまで高くし、これと同時に、モータドライバＩＣ１１はスピンドルモータの回転速度を低速記録制御する前と同じ回転数まで高くする。この制御を行うことで、回転数の低下によりデータの記録が遅くなることを必要最小限に抑えることができる。
【００４６】
上述のレーザドライバＩＣ１３の温度を検知して、光ピックアップ３のレーザ光出力を制御する動作と、スピンドルモータ１の回転速度を制御する動作とは、光ディスク記録中、常時行われる。これにより、誤動作の生じない範囲で高速に光ディスクの記録を行うことができる。
【００４７】
なお、上述の説明では、光ディスク記録時にレーザドライバＩＣの温度が閾値以上になると、レーザ光出力を低下させるとともに、スピンドルモータの回転速度を低下させた。しかし、光ディスク記録時にレーザドライバＩＣの温度が閾値以上になると、レーザ光出力を停止して、レーザドライバＩＣの温度を低下させてもよい。
【００４８】
このような構成とすることで、光ディスクの再生時、記録時ともに、モータドライバＩＣおよびレーザドライバＩＣの発熱による誤動作を防止することができる。
【００４９】
また、温度センサをモータドライバＩＣやレーザドライバＩＣ内に組み込むことなく、温度検知することができるので、新規に温度センサを内蔵したドライバＩＣを作製して用いる必要がなく、従来のドライバＩＣをそのまま利用することができる。
【００５０】
さらに、再生時と記録時とで温度検知するドライバＩＣを切り換えることにより、従来から備えられている温度検知用端子一つで、最適に温度検知できるので、温度検知用端子を二つ備えたＩＣを新規に作製して用いることなく、既存のＩＣを利用することができる。
【００５１】
【発明の効果】
この発明によれば、光ディスク再生時にモータドライバＩＣの温度を常時観測し、この観測温度が閾値に達するとスピンドルモータの回転速度を低下させることにより、光ディスク再生を行いながら、モータドライバＩＣの温度を低下させて、熱による誤動作を防止することができる。
【００５２】
また、この発明によれば、光ディスク再生時に回転速度を低下させた後も、常時、モータードライバＩＣの温度を観測し、この観測温度が所定の閾値以下になると、スピンドルモータの回転速度を高くすることにより、誤動作を防止しながら可能な限り高速に光ディスクの再生を行うことができる。
【００５３】
また、この発明によれば、光ディスク記録時にレーザドライバＩＣの温度を常時観測し、この観測信号が所定の閾値に達すると、レーザ光出力を停止させるか、レーザ光出力を低減させることにより、レーザドライバＩＣの温度を低下させて、熱による誤動作を防止することができる。
【００５４】
また、この発明によれば、光ディスク記録時にレーザ光出力を停止したり、レーザ光出力を低下させた後も、レーザドライバＩＣの温度を常時観測し、この観測温度が所定の閾値以下になると、レーザ光出力を再開するか、レーザ光出力を高くすることにより、誤動作を防止しながら可能な限り高速に光ディスクの記録を行うことができる。
【図面の簡単な説明】
【図１】本発明に係る光ディスク装置の概要構成図
【図２】本発明に係る光ディスク装置における、各ドライバＩＣの温度制御を行うフローチャート
【符号の説明】
１−スピンドルモータ
２−ステッピングモータ
３−光ピックアップ
１１−モータドライバＩＣ
１３−レーザドライバＩＣ
２１，２３−温度センサ
２４−スイッチ（ＳＷ）
３０−制御部
【図１】
2004334965.tif 000003
【図２】
2004334965.tif 000004